【事件の表示】
　特願２００９−　５２２４５「電話交換機システム、電話交換装置、電話端末、消費カロリー量計算方法、そのプログラムおよび記録媒体」拒絶査定不服審判事件〔平成２２年　９月１６日出願公開、特開２０１０−２０６７００〕について、次のとおり審決する。
【結　論】
　本件審判の請求は、成り立たない。
【理　由】
１．手続の経緯 
　本願は、平成２１年３月５日の出願であって、平成２４年１０月１５日付けで拒絶査定がなされ、これに対し、平成２５年１月２３日に拒絶査定に対する審判請求がなされたものである。
　
２．本願発明 
　本願の請求項１３に係る発明（以下、「本願発明」という。）は、平成２４年４月２７日付け手続補正書により補正された請求項１３に記載された以下のとおりのものである。
　
「【請求項１３】
　あらかじめ定めた単位時間毎の当該電話端末のユーザの発話音声によって消費される消費カロリー消費量を計算する音声データ解析手段を備え、
　前記音声データ解析手段は、ユーザの発話音声の少なくともボリューム及び音声区間長に関するデータのうち、１ないし複数のデータを前記単位時間毎の発話音声のサンプル値として計算することにより、当該発話音声によって消費される消費カロリー消費量を計算することを特徴とする電話端末。」 
　
３．引用例発明 
　原審の拒絶理由に引用された特開２０００−１６３０８５号公報（以下、「引用例」という。）には、図面とともに以下の記載がある。 
　
　イ．「【０００１】
【発明の属する技術分野】この発明は、カラオケ伴奏音楽と歌詞映像とを同期的に出力するとともにマイクロフォンによる歌唱入力を増幅して音声出力するカラオケ装置に関し、とくに、歌唱による身体運動のカロリー消費量も取り扱うカラオケ装置および通信カラオケシステムに関する。」
　
　ロ．「【０００３】
【発明が解決しようとする課題】カラオケボックスで代表されるように、カラオケは閉鎖的な室内空間で楽しむ文化的な娯楽というイメージが強いであろう。スポーツのような健康的で肉体的なイメージはカラオケにはあまりない。このイメージを打破してカラオケに健康的で動的な楽しみの要素を加えることで、カラオケの新たな娯楽性を開発したい。本発明者らはこのように考えた。そこでこの発明では、カラオケで歌をうたう行為が、とくに腹式呼吸により横隔膜を激しく活動させる行為であり、全体としてもかなりの強度の身体運動であることに着目した。カラオケの一般的な曲を真剣に歌うと、１００メートルを全力で走るのに匹敵するようなカロリーを消費するとも言われている。このことと健康指向によるダイエットに対する関心とを結びつけることで、カラオケに新しい娯楽要素を採り入れることができる。
【０００４】この発明の目的は、カラオケで歌うと、その歌唱による身体運動のカロリー消費量を算出してその歌のタイトルとともに記録し、その記録内容を適時に一覧表示して利用者に見せるようにしたカラオケ装置を提供することにある。」
　
　ハ．「【００１２】
【発明の実施の形態】＝＝＝通信カラオケシステムの全体構成＝＝＝
図１に、本発明の一実施例による通信カラオケシステムの全体構成を示す。本通信カラオケシステムはカラオケ事業者によって運営されるホスト装置Ｈと、公衆通信網（電話、ＩＳＤＮ、専用線等）Ｎを介して接続する各カラオケ店内に設置された多数のカラオケ演奏端末Ｃとによって構成される。また、ホスト装置ＨにはＬＡＮを介してＷＷＷサーバＳが接続し、ＷＷＷサーバＳはＩＳＰ（Internet Service Provider ）などを介してインターネット網Ｉに専用線接続している。
【００１３】＜ホスト装置とＷＷＷサーバ＞ホスト装置ＨおよびＷＷＷサーバＳは、ＣＰＵ・ＲＡＭ・ＲＯＭなどを中心として構成される中央処理部と、ハードディスク装置などの記憶装置を備える標準的なコンピュータである。ホスト装置ＨおよびＷＷＷサーバＳはそれぞれＬＡＮインターフェースを備え、ＬＡＮを介して互いに接続している。また、ホスト装置Ｈは、モデムやＴＡなどによる通信インタフェースを備え、これにより公衆通信網Ｎに接続する。
【００１４】（略）
【００１５】（略）
【００１６】＜カラオケ演奏端末＞図２にカラオケ演奏端末Ｃのブロック構成を示す。カラオケ演奏端末Ｃは、ＣＰＵ、ＲＡＭ・ＲＯＭなどを中心として構成されるメインコンピュータ３と、ハードディスク装置５と、カラオケデータに基づいてカラオケ楽曲を再生するとともにこの再生信号とマイクロフォン７に入力される音声信号とを合成してスピーカ９に出力する音響処理部１１と、ＤＶＤ−ＲＯＭ（ＲＡＭ）装置１３から送られてくる背景映像などの再生映像と歌詞描出データに基づいて再生した歌詞映像を合成してディスプレイ１５に出力する映像処理部１７と、ユーザインタフェースとしての操作パネルやリモコン装置およびその受信部などから構成される操作入力装置１９と、公衆通信網Ｎに接続するためのモデムもしくはＴＡからなる通信制御部２１と、外部インターフェース２３を介して接続するプリンタ装置２５などを備える。
【００１７】ハードディスク装置５には、楽曲ＩＤ別のカラオケデータの他、カラオケ演奏端末の制御プログラムや歌唱ゲームなどの余興番組のプログラムや、後述するカロリー消費量を計算するためのプログラムなどの様々なソフトウエアが格納されている。
【００１８】また、カラオケ演奏端末ＣはＡ／Ｄコンバータを用いて構成される音量検出部２７を備えている。図３に示すように、音量検出部２７はマイクロフォン７からの入力音声信号の音量レベルを微小時間間隔（例えば０．２秒）でサンプリングした音量レベル信号（図３では各斜線領域の高さが音量レベル信号に相当する）を逐次メインコンピュータ３に通知する。
【００１９】カラオケ演奏端末Ｃは利用者の所定の操作入力により操作入力装置１９から伝達される楽曲ＩＤを取得してこれをメモリ上の予約テーブルに記憶し、予約テーブルに登録されている各楽曲ＩＤに対応するカラオケデータを順に処理してカラオケ伴奏音楽と歌詞映像とを同期的に音声映像出力するとともにマイクロフォン７からの歌唱入力信号を増幅して音声出力する。
【００２０】＝＝＝通信カラオケシステムの利用態様＝＝＝
本実施例における通信カラオケシステムは、通常のカラオケ演奏機能に加え、歌唱によるカロリー消費量の表示機能を中心とした以下ような機能が用意されている。
【００２１】＜カラオケ演奏中のカロリー消費量表示機能＞カラオケ演奏端末Ｃは、各カラオケ楽曲の演奏中に歌唱による身体運動のカロリー消費量を算出する。具体的には、カラオケ演奏の開始と同時に音量検出部から送られてくる前記音量レベル信号の積算を開始し（すなわち、積分的に処理する）、その積算値に所定のカロリー換算係数をかけ算し、演奏開始時からその時点までのカロリー消費量を計算する。
【００２２】ここで、カロリー換算係数とは、標準的な体格を有する者が普通に歌唱したときの身体運動に対応するカロリー消費量を実測した数値であり、例えば、特開平５−２１２１３６号公報などに開示されているように、酸素消費量測定装置によりその人が歌唱により消費した酸素量を測定して求めた数値である。すなわち、カロリー消費量はマイクロフォン７に入力される音量に伴って変化する性質のものであり、利用者が大きな声で歌えばそれだけカロリー消費量も大きくなり、また、利用者が歌唱を止めるとカロリー消費量は加算されなくなる。また、間奏パートの演奏中であっても歌唱すればその分がカロリー消費量に加算される。
【００２３】カラオケ演奏端末Ｃは、カラオケの演奏中や演奏の合間（曲間）などにおいて、生成したカロリー消費量を図４に示すようにグラフや数値によりリアルタイムにディスプレイ１５に表示する。」
　
　ニ．「【００４３】
【発明の効果】本発明のカラオケ装置は、歌唱による身体運動のカロリー消費量を算出してその歌のタイトルとともに記録し、その記録内容を適時に一覧表示して利用者に見せるようになっているため、カラオケを楽しみながら計画的に健康管理やダイエットを行うことができ、カラオケの利用促進を図ることができる。」
　
　上記摘記事項イ．〜ニ．及び技術常識を考慮すると、引用例には、
「ホスト装置と公衆通信網を介して接続され、歌唱による身体運動のカロリー消費量を算出するカラオケ演奏端末において、
　マイクロフォンからの入力音声信号の音量レベルを微少時間間隔でサンプリングした音量レベルを逐次メインコンピュータに通知する音量検出部と、
　前記音量検出部から送られてくる音量レベルを積算し、その積算値に所定のカロリー換算係数をかけ算し、カラオケ演奏中におけるカロリー消費量を計算するメインコンピュータとを備えたカラオケ演奏端末。」
の発明（以下、「引用例発明」という。）が開示されていると認めることができる。 
　
４．対比 
　本願発明と引用例発明とを対比する。 
　引用例発明の「メインコンピュータ」、「カロリー消費量」、「音量レベル」は、それぞれ本願発明の「音声データ解析手段」、「消費カロリー消費量」、「ボリューム」に相当する。
　また、引用例発明の「カラオケ演奏端末」は、「ホスト装置と公衆通信網を介して接続される」ものであるから、本願発明の「電話端末」とは、「通信端末」である点で共通する。
　
　したがって、本願発明と引用例発明とは、 
「通信端末のユーザの発話音声によって消費される消費カロリー消費量を計算する音声データ解析手段を備え、
　前記音声データ解析手段は、ユーザの発話音声のボリュームに関するデータを発話音声のサンプル値として計算することにより、当該発話音声によって消費される消費カロリー消費量を計算する通信端末。」 
である点で一致し、以下の点で相違している。 
　
［相違点１］ 
　音声データ解析手段に関して、本願発明は、消費カロリー消費量の計算を、「あらかじめ定めた単位時間毎」に行い、また、「ユーザの発話音声の少なくともボリューム及び音声区間長に関するデータのうち、１ないし複数のデータ」について行うのに対して、引用例発明は、この点について明示しない点。
　
［相違点２］
　消費カロリー消費量を計算する通信端末に関して、本願発明は、「電話端末」であるのに対し、引用例発明は、「カラオケ演奏端末」である点。
　
５．当審の判断 
　まず、相違点１について検討する。
　例えば、特開２００８−１６４９６７号公報（段落００２２等）、特開２００５−２８３８１２号公報（段落００２０、００２１等）に記載されているように、歌唱による消費カロリーを任意に設定した区間（単位時間）毎に計算することは周知事項であり、また、特開２０００−１６３０８０号公報（段落００１９、図２等）、原審の拒絶理由に引用された特開２００６−１１６０７５号公報（段落００３０〜００３２等）に記載されているように、歌唱、発話等の消費カロリーの計算に音声継続時間（音声区間長）のデータを用いることも周知事項であるから、引用例発明において、消費カロリーの計算を、単位時間毎に行うこと、また、音量レベルのデータに加えて音声継続時間のデータを用いること、すなわち、消費カロリーの計算を、「あらかじめ定めた単位時間毎」に行い、また、「ユーザの発話音声の少なくともボリューム及び音声区間長に関するデータのうち、１ないし複数のデータ」について行うことは、当業者にとって容易なことである。
　
　次に、相違点２について検討する。
　例えば、特開２００１−１９７１６８号公報（段落０００２等）、特開平９−２６７９８号公報（段落０００４等）に記載されているように、カラオケ機能を備えた電話端末は周知であり、また、原審の拒絶理由に引用された特開２００３−７６８１８号公報（段落０００１、００６１等）に記載されているように、携帯電話端末やＰＤＡを用いて消費カロリーを算出することも周知である。　
　したがって、消費カロリー消費量を計算する通信端末を「電話端末」とすることは、当業者にとって容易なことである。 
　
　そして、本願発明の作用効果も、引用例発明及び周知事項から当業者が予測できる範囲のものである。 
　
６．むすび 
　以上のとおり、本願発明は、引用例発明及び周知事項に基づいて、当業者が容易に発明をすることができたものであるから、特許法第２９条第２項の規定により特許を受けることができない。 
　よって、結論のとおり審決する。